(57)【特許請求の範囲】
【請求項１】
表示部を水平方向に隣接させて配置された複数の情報表示装置と接続する接続手段と、
前記接続手段で接続された前記複数の情報表示装置の各々に対して、当該複数の情報表示装置による複数の前記表示部にまたがって表示される表示情報を送信する送信制御手段と、
前記複数の情報表示装置のうちいずれか１つ以上から、当該情報表示装置の近傍に人物を検出したことを示した検出情報を受信する受信制御手段と、を備え、
前記送信制御手段は、さらに、前記受信制御手段が前記検出情報を受信した場合に、前記複数の情報表示装置のうち、前記検出情報を送信した前記情報表示装置を除いた、前記情報表示装置に表示情報を送信し、前記検出情報を送信した前記情報表示装置が表示する表示領域の部分領域で他の情報表示装置とまたがって表示される表示情報を、前記検出情報を送信した前記情報表示装置に送信する、
情報処理装置。
【請求項２】
前記接続手段は、３個以上の前記情報表示装置と接続し、
前記送信制御手段は、前記受信制御手段が前記検出情報を受信した場合に、前記３個以上の情報表示装置のうち、前記検出情報を送信した前記情報表示装置を除いた、２個以上の前記情報表示装置に対して、当該２個以上の表示部にまたがって表示される表示情報を送信し、前記検出情報を送信した前記情報表示装置が表示する表示領域の部分領域で他の情報表示装置とまたがって表示される表示情報を、前記検出情報を送信した前記情報表示装置に送信する、
請求項１に記載の情報処理装置。
【請求項３】
前記送信制御手段は、前記検出情報を送信した前記情報表示装置に対して、前記人物に対する操作画面を表示する指示情報を送信する、
請求項１又は２に記載の情報処理装置。
【請求項４】
前記受信制御手段は、前記人物の位置を示した位置情報が含まれた前記検出情報を受信し、
前記送信制御手段は、前記検出情報に含まれている前記位置情報に基づいた表示情報を、前記検出情報を送信した前記情報表示装置に対して送信する、
請求項１乃至３のいずれか一つに記載の情報処理装置。
【請求項５】
情報処理装置と、表示部を水平方向に隣接させて配置された複数の情報表示装置と、を備えた情報表示システムにおいて、
前記情報処理装置が、
前記複数の情報表示装置と接続する接続手段と、
前記接続手段で接続された前記複数の情報表示装置の各々に対して、当該複数の情報表示装置による複数の前記表示部にまたがって表示される表示情報を送信する第１の送信制御手段と、
前記複数の情報表示装置のうちいずれか１つ以上から、当該情報表示装置の近傍に人物を検出したことを示した検出情報を受信する受信制御手段と、を備え、
前記第１の送信制御手段は、さらに、前記受信制御手段が前記検出情報を受信した場合に、前記複数の情報表示装置のうち、前記検出情報を送信した前記情報表示装置を除いた、前記情報表示装置に表示情報を送信し、前記検出情報を送信した前記情報表示装置が表示する表示領域の部分領域で他の情報表示装置とまたがって表示される表示情報を、前記検出情報を送信した前記情報表示装置に送信し、
前記複数の情報表示装置の各々が、
前記情報処理装置から送信された前記表示情報を表示する表示制御手段と、
前記情報表示装置の近傍に存在する人物を検出する検出手段と、
前記検出手段により人物が検出されたことを示す検出情報を、前記情報処理装置に送信する第２の送信制御手段と、
前記表示制御手段は、さらに、前記検出手段により人物が検出された場合に、操作画面情報を表示する、
情報表示システム。
【発明の詳細な説明】
【技術分野】
【０００１】
本発明の実施形態は、情報処理装置、及び情報表示システムに関する。
【背景技術】
【０００２】
従来、ショッピングモール等の商業施設や、地下街等においては、食券等を発券する券売機や自動販売機等に、広告などのコンテンツ情報が表示可能なデジタルサイネージ端末を用いる需要が高まりつつある。このように券売機や自動販売機等にデジタルサイネージ端末を適用することで、商品の販売や発券が行われない時に、広告により近隣の人たちに商品等を宣伝することが可能となる。
【０００３】
ところで、広告は、近隣にいる人達に対して目立つように表示する必要がある。そこで、複数のディスプレイを用いて、一つの広告を表示させる技術が提案されている。
【発明の概要】
【発明が解決しようとする課題】
【０００４】
しかしながら、従来技術においては、複数のディスプレイで表示するに留まっており、他の装置（例えばデジタルサイネージ端末）に適用することまでは考慮されていない。
【課題を解決するための手段】
【０００５】
実施形態の情報処理装置は、接続手段と、送信制御手段と、受信制御手段と、を備える。接続手段は、表示部を水平方向に隣接させて配置された複数の情報表示装置と接続する。送信制御手段は、接続手段で接続された複数の情報表示装置の各々に対して、当該複数の情報表示装置による複数の表示部にまたがって表示される表示情報を送信する。受信制御手段は、複数の情報表示装置のうちいずれか１つ以上から、当該情報表示装置の近傍に人物を検出したことを示した検出情報を受信する。送信制御手段は、さらに、受信制御手段が検出情報を受信した場合に、複数の情報表示装置のうち、検出情報を送信した情報表示装置を除いた、情報表示装置に表示情報を送信し、前記検出情報を送信した前記情報表示装置が表示する表示領域の部分領域で他の情報表示装置とまたがって表示される表示情報を、前記検出情報を送信した前記情報表示装置に送信する。
【図面の簡単な説明】
【０００６】
【図１】図１は、第１の実施形態に係るデジタルサイネージ端末及び管理サーバを含むネットワーク構成を示した図である。
【図２】図２は、第１の実施形態に係るデジタルサイネージ端末の外観正面図である。
【図３】図３は、第１の実施形態に係るデジタルサイネージ端末の概要構成ブロック図である。
【図４】図４は、第１の実施形態に係るデジタルサイネージ端末で実現されるソフトウェア構成の機能ブロックを示した図である。
【図５】図５は、第１の実施形態に係る管理サーバのハードウェア構成を示した図である。
【図６】図６は、第１の実施形態に係る管理サーバで実現されるソフトウェア構成の機能ブロックを示したブロック図である。
【図７】図７は、第１の実施形態に係るデジタルサイネージ端末のカメラユニットによる撮像領域の例を示した図である。
【図８】図８は、第１の実施形態に係るデジタルサイネージ端末に表示される表示画面の例を示した図である。
【図９】図９は、第１の実施形態に係るデジタルサイネージ端末の近傍領域で人が検出された場合に、デジタルサイネージ端末に表示される表示画面の例を示した図である。
【図１０】図１０は、第１の実施形態に係るデジタルサイネージ端末の近傍領域で人が検出された場合に、デジタルサイネージ端末に表示される表示画面の例を示した図である。
【図１１】図１１は、変形例に係るデジタルサイネージ端末の近傍領域で人が検出された場合に、デジタルサイネージ端末に表示される表示画面の例を示した図である。
【図１２】図１２は、変形例に係るデジタルサイネージ端末の近傍領域で人が検出された場合に、デジタルサイネージ端末に表示される表示画面の例を示した図である。
【図１３】図１３は、第１の実施形態に係る情報処理システムにおける、全体的な処理の手順を示すフローチャートである。
【図１４】図１４は、変形例に係るデジタルサイネージ端末の近傍ではない領域で人が検出された場合に、デジタルサイネージ端末に表示される表示画面の例を示した図である。
【発明を実施するための形態】
【０００７】
（第１の実施形態）
以下、第１の実施形態に係るデジタルサイネージ端末、及び管理サーバを用いた情報処理システムについて図面を参照して説明する。なお、本実施形態の情報処理システムは、ショッピングモールで用いられるデジタルサイネージ端末を用いて情報を表示するために用いられる。本実施形態は、情報表示装置としてデジタルサイネージ端末を用いた例とするが、管理サーバに従って広告などの情報を表示可能な装置であれば、デジタルサイネージ端末に制限するものではない。
【０００８】
図１は、本実施形態に係るデジタルサイネージ（Ｄｉｇｉｔａｌ  ｓｉｇｎａｇｅ）端末１５１、１５２、１５３及び管理サーバ１００を含むネットワーク構成を示した図である。本実施形態では、広告コンテンツ等を表示する複数のデジタルサイネージ端末１５１、１５２、１５３は、ネットワーク（例えばＬＡＮ）１６１を介して管理サーバ１００と接続されている。そして、管理サーバ１００からの配信される広告情報等をデジタルサイネージ端末１５１、１５２、１５３に配信する。
【０００９】
デジタルサイネージ端末１５１、１５２、１５３は、図１に示す様に、ディスプレイが隣接するよう横方向（水平方向）に連続配置されている。本実施形態に係るデジタルサイネージ端末１５１、１５２、１５３は、食券などの様々なチケット類を印刷する券売機に適用した例とする。
【００１０】
図２は、デジタルサイネージ端末１５１の外観正面図である。なお、デジタルサイネージ端末１５２、１５３は、デジタルサイネージ端末１５１と同様の構成を備えているものとして説明を省略する。
【００１１】
デジタルサイネージ端末１５１は、液晶ディスプレイあるいはプラズマディスプレイであって、タッチパネルとして構成されたディスプレイユニット２０１と、各種チケット、クーポン等を印刷し、発行するプリンタユニット２０４と、会員カード等の記憶媒体からの顧客ＩＤ等の情報の読み取りを行う読取装置２０３と、硬化等を投入する投入口２０５と、を備えている。図２に示す様に、プリンタユニット２０４、読取装置２０３、及び投入口２０５は、ディスプレイユニット２０１の下の筐体部に設けられている。
【００１２】
そして、ディスプレイユニット２０１の下部であり、且つ筐体部の上方に、周辺の外部環境を撮影して画像認識を行い、デジタルサイネージ端末１５１の周辺にいる人の検出に用いるカメラユニット２０２が内蔵されている。なお、画像認識等の処理は、デジタルサイネージ端末１５１で行うことに制限するものではなく、管理サーバ１００等で行ってもよい。
【００１３】
プリンタユニット２０４は、例えば、ロール紙を記録媒体とする感熱記録方式のプリンタ装置が用いられ、必要に応じてロール紙を自動的にカットするカット機構を備えている。
【００１４】
ディスプレイユニット２０１は、管理サーバ１００から配信されている広告を表示する他、カメラユニット２０２に撮像された画像により、人がデジタルサイネージ端末１５１を利用可能な範囲にいることが検出された場合に、券売機としての操作画面を表示する。
【００１５】
図３は、デジタルサイネージ端末１５１の概要構成ブロック図である。なお、デジタルサイネージ端末１５２、１５３は、デジタルサイネージ端末１５１と同様の構成を備えているものとして説明を省略する。
【００１６】
デジタルサイネージ端末１５１は、上述したディスプレイユニット２０１、プリンタユニット２０４、カメラユニット２０２の他、当該デジタルサイネージ端末１５１全体を制御するコントローラ３３１と、オペレータあるいはユーザが各種操作を行うための操作部３３２と、ネットワーク１６０を介して管理サーバ１００との間で通信を行うためのネットワーク通信インターフェース（Ｉ／Ｆ）３３３と、各種データを記憶する外部記憶装置３３５と、を備えている。
【００１７】
コントローラ３３１、当該コントローラ３３１全体を制御するＭＰＵ３３６と、ＭＰＵ３３６が動作するための制御プログラム等を格納したＲＯＭ３３７と、各種データを一時的に記憶するＲＡＭ３３８と、を備えている。
【００１８】
また、操作部３３２は、各種スイッチ、ボタン等で構成したり、タッチパネルとして液晶ディスプレイ等のディスプレイユニット２０１と一体に構成したりすることも可能である。
【００１９】
さらに、外部記憶装置３３５は、様々なデータを記憶する。なお、外部記憶装置３３５は、デジタルサイネージ端末１５１に内蔵するのではなく、管理サーバ１００に設けられている記憶部を用いてもよい。
【００２０】
図４は、デジタルサイネージ端末１５１のＭＰＵ３３６が、ＲＯＭ３３７に格納されている情報処理プログラムを読み込むことで実現されるソフトウェア構成の機能ブロックを示した図である。図４に示す様に、デジタルサイネージ端末１５１のＭＰＵ３３６が、情報処理プログラムを読み込むことで、表示制御部４０１と、位置認識部４０２と、送信制御部４０３と、受信制御部４０４と、が実現される。なお、デジタルサイネージ端末１５２、１５３も同様の構成を備えているものとして、説明を省略する。
【００２１】
表示制御部４０１は、ディスプレイユニット２０１に対して、様々な情報を表示制御する。例えば、表示制御部４０１は、ディスプレイユニット２０１に対して券売機としての操作画面を表示するほか、管理サーバ１００から配信された広告情報等を表示する。
【００２２】
位置認識部４０２は、カメラユニット２０２により撮像された撮像画像データに基づいて、デジタルサイネージ端末のディスプレイユニット２０１の近傍にいる人の位置を認識する。なお、本実施形態では、人の位置を認識するためにカメラユニット２０２により撮像された撮像画像データを用いる例とするが、人の位置に認識する手法であればカメラユニット２０２を用いた手法に制限するものではない。例えば、赤外線を送出することで、近隣にいる人の位置を認識しても良い。なお、人が近傍位置にいるか否かの判定基準については、実際の実施態様に応じて適切な基準が設定されればよい。
【００２３】
送信制御部４０３は、管理サーバ１００に対して、様々な情報を送信する。例えば、送信制御部４０３は、位置認識部４０２がデジタルサイネージ端末１５１を操作可能な位置に人がいることを認識した場合に、操作者を検出したことを示す検出データを送信する。
【００２４】
受信制御部４０４は、管理サーバ１００から、様々な情報を受信する。例えば、受信制御部４０４は、管理サーバ１００から、ディスプレイユニット２０１に表示するための広告等を含んだ表示画面データ等を受信する。
【００２５】
表示制御部４０１が、本実施形態では受信制御部４０４から表示画面データを受信した際にすぐに表示画面データを表示制御している。このようにして、管理サーバ１００とデジタルサイネージ端末１５１との間で表示画面データの同期が行われている。つまり、管理サーバ１００は、デジタルサイネージ端末１５１、１５２、１５３に対して表示画面データの送信タイミングを制御することで、デジタルサイネージ端末１５１、１５２、１５３に表示される広告などの表示画面を連動させることができる。
【００２６】
図５は、本実施形態に係る管理サーバ１００のハードウェア構成を示した図である。図５に示す様に、管理サーバ１００は、ＣＰＵ５０１と、ＲＯＭ５０２と、ＲＡＭ５０３と、通信インターフェース（Ｉ／Ｆ）５０４と、ＨＤＤ５０５と、を備えており、通常のコンピュータを利用したハードウェア構成となっている。
【００２７】
通信インターフェース（Ｉ／Ｆ）５０４は、ネットワーク１６０を介して、複数のデジタルサイネージ端末１５１、１５２、１５３と接続する。
【００２８】
そして、ＨＤＤ５０５には、デジタルサイネージ端末等の表示制御を行うためのプログラムが格納されている。そして、ＣＰＵ５０１が当該プログラムを読み込んで、ＲＡＭ５０３を作業領域として用いることで、様々なソフトウェア構成が実現される。
【００２９】
図６は、本実施形態に係る管理サーバ１００で実現されるソフトウェア構成の機能ブロックを示したブロック図である。図６に示す様に、ソフトウェア構成として、受信制御部６０１と、表示データ生成部６０２と、送信制御部６０３と、が実現される。
【００３０】
受信制御部６０１は、デジタルサイネージ端末１５１、１５２、１５３から様々な情報を、通信インターフェース５０４を介して受信する。本実施形態に係る受信制御部６０１は、デジタルサイネージ端末１５１、１５２、１５３から、デジタルサイネージ端末１５１、１５２、１５３のうちいずれか１つ以上から、自装置を操作可能な近傍位置で人物を検出したか否かを示した検出データを受信する。
【００３１】
表示データ生成部６０２は、ＨＤＤ６１１の表示データ記憶部６１１から表示データを読み込んで、デジタルサイネージ端末１５１、１５２、１５３のそれぞれで表示するための表示画面データを生成する。
【００３２】
送信制御部６０３は、通信インターフェース５０４を介して接続されたデジタルサイネージ端末１５１、１５２、１５３の各々に対して様々な情報を、通信インターフェース５０４を介して送信する。本実施形態に係る送信制御部６０３は、デジタルサイネージ端末１５１、１５２、１５３による複数のディスプレイユニット２０１にまたがって表示するための表示画面データを送信する。
【００３３】
本実施形態に係る送信制御部６０３は、受信制御部６０１が検出データを受信した場合に、デジタルサイネージ端末１５１、１５２、１５３のうち、検出データを送信したデジタルサイネージ端末を除いた、デジタルサイネージ端末に対して、ディスプレイユニット２０１に表示するための表示画面データを送信する。さらに、送信制御部６０３は、検出データを送信したデジタルサイネージ端末に対して、券売機としての操作画面を表示する命令を送信する。
【００３４】
図７は、デジタルサイネージ端末１５１、１５２、１５３のカメラユニット２０２による撮像領域の例を示した図である。図７に示す様に、デジタルサイネージ端末１５１のカメラユニット２０２は、撮像範囲７０１であり、デジタルサイネージ端末１５２のカメラユニット２０２は、撮像範囲７０２であり、デジタルサイネージ端末１５３のカメラユニット２０２は、撮像範囲７０３とする。
【００３５】
図７に示す様に、カメラユニット２０２が、ディスプレイユニット２０１の正面の撮像領域７０１、７０２、７０３を撮像して、ディスプレイユニット２０１の正面近傍の領域に人物がいるか否かを検出可能な撮像画像データを生成する。
【００３６】
図７に示す例では、デジタルサイネージ端末１５３のカメラユニット２０２による撮像領域７０３に人物が含まれているため、デジタルサイネージ端末１５３の位置認識部４０２は、当該撮像画像データから、デジタルサイネージ端末１５３を操作可能な近傍位置に人物がいることを検出できる。当該検出をトリガーとして、デジタルサイネージ端末１５３が、操作者を検出したことを示す検出データを、管理サーバ１００に対して送信する。なお、本実施形態は、撮像範囲を図７に示す領域に制限するものではなく、デジタルサイネージ端末近傍に人物の有無を検出できれば、どのような撮像範囲であっても良い。
【００３７】
そして、撮像範囲７０１、撮像範囲７０２及び撮像範囲７０３で撮像された撮像画像データにより、デジタルサイネージ端末１５１、１５２、１５３の操作可能な近傍位置に人物がいないと判定された場合に、デジタルサイネージ端末１５１、１５２、１５３がサイネージ・モードに切り替わり、三画面連動の大画面で、商品の宣伝広告情報を表示する。
【００３８】
図８は、デジタルサイネージ端末１５１、１５２、１５３に表示される表示画面の例を示した図である。図８に示す表示画面は、デジタルサイネージ端末１５１、１５２、１５３の各々の近傍領域に、人物が検出されていない場合の例とする。
【００３９】
図８に示す様に、デジタルサイネージ端末１５１、１５２、１５３のそれぞれが、複数画面にまたがって表示されるよう管理サーバ１００で調整された表示画面データを受信し、受信した表示画面データを表示している。つまり、管理サーバ１００が、デジタルサイネージ端末１５１、１５２、１５３に対して、ディスプレイユニット２０１に表示される画面が同期するように表示画面データの送信制御を行っている。これにより、デジタルサイネージ端末１５１、１５２、１５３の複数のディスプレイユニット２０１にまたがった表示画面を、文字列情報が横スクロールする電光掲示板のように用いることができる。なお、本実施形態は、電光掲示板のような表示に制限するものではなく、時系列に従って変化する文字列データ、又は動画像データが、複数のディスプレイユニット２０１にまたがって同期表示されるものであればよい。
【００４０】
そして、デジタルサイネージ端末１５１、１５２、１５３のいずれか一つで、ディスプレイユニット２０１の近傍領域に人物がいることを検出された場合に、検出データを管理サーバ１００に対して送信する。これをトリガーとして、デジタルサイネージ端末１５１、１５２、１５３の表示画面が切り替わる。
【００４１】
図９は、デジタルサイネージ端末１５３の近傍領域で人物が検出された場合に、デジタルサイネージ端末１５１、１５２、１５３に表示される表示画面の例を示した図である。図９に示す例では、デジタルサイネージ端末１５３の送信制御部４０３が、人物９０１を検出した検出データを、管理サーバ１００に対して送信した後、表示制御部４０１が券売機としての操作画面を表示している。
【００４２】
一方、デジタルサイネージ端末１５１、１５２は、管理サーバ１００から表示画面データを受信し、当該表示画面データを表示している。図９に示すように、本実施形態では、管理サーバ１００の受信制御部６０１が、デジタルサイネージ端末１５３から検出データを受信した場合に、送信制御部６０３が、デジタルサイネージ端末１５１、１５２、１５３のうち、検出データを送信したデジタルサイネージ端末１５３を除いた、デジタルサイネージ端末１５１、１５２に対して、２個以上のディスプレイユニット２０１にまたがって表示される表示画面データを送信している。
【００４３】
管理サーバ１００の表示データ生成部６０２は、３個のディスプレイユニット２０１で表示する場合と、２個のディスプレイユニット２０１で表示する場合とで、生成する表示画面データを切り替える。本実施形態では、２個のディスプレイユニット２０１で表示する場合、３個のディスプレイユニット２０１で表示する場合と比べて、生成する表示画面データの数が少なくなるほか、表示画面データに含まれている文字列データのフォントサイズを小さくしている。これにより、２個のディスプレイユニット２０１を用いた場合であっても、表示サイズは小さくなるが、内容を継続して見ることが可能となる。
【００４４】
このようにデジタルサイネージ端末の一つがサイネージ・モードから、券売機用の操作画面の表示モードに移行した場合でも、他のデジタルサイネージ端末が、継続して表示画面データを表示する。これにより、見続けたい人のために、継続して表示画面データを表示することができる。
【００４５】
図１０は、デジタルサイネージ端末１５２の近傍領域で人物が検出された場合に、デジタルサイネージ端末１５１、１５２、１５３に表示される表示画面の例を示した図である。図１０に示す例では、デジタルサイネージ端末１５２の送信制御部４０３が、人物１００１を検出した検出データを、管理サーバ１００に対して送信した後、表示制御部４０１が券売機としての操作画面を表示している。
【００４６】
一方、デジタルサイネージ端末１５１、１５３は、管理サーバ１００から表示画面データを受信し、当該表示画面データを表示している。図１０に示すように、水平方向に隣接して配置されたデジタルサイネージ端末１５１、１５２、１５３のうち、中央に配置されたデジタルサイネージ端末１５２が利用された場合でも、デジタルサイネージ端末１５２の除き、デジタルサイネージ端末１５１、１５３の２個以上のディスプレイユニット２０１にまたがって文字列データが表示される。
【００４７】
第１の実施形態では、検出データを送信したデジタルサイネージ端末を除いて、広告表示を行う例としたが、このような表示態様に制限するものではない。そこで、操作者が検出された場合に、デジタルサイネージ端末が表示する表示画面の変形例について説明する。
【００４８】
図１１は、変形例に係るデジタルサイネージ端末１５３の近傍領域で人物が検出された場合に、デジタルサイネージ端末１５１、１５２、１５３に表示される表示画面の例を示した図である。図１０に示す例では、デジタルサイネージ端末１５３の送信制御部４０３が、人物９０１を検出した検出データを、管理サーバ１００に対して送信した後、表示制御部４０１が券売機としての操作画面と共に、表示画面の一部領域に管理サーバ１００から送信される表示画面データ（広告情報）を表示している。
【００４９】
一方、デジタルサイネージ端末１５１、１５２は、管理サーバ１００から表示画面データを受信し、当該表示画面データを表示している。本変形例では、管理サーバ１００の受信制御部６０１が、デジタルサイネージ端末１５３から検出データを受信した場合に、送信制御部６０３が、デジタルサイネージ端末１５１、１５２、１５３のうち、デジタルサイネージ端末１５１、１５２に対して、２個以上のディスプレイユニット２０１全体にまたがって表示される表示画面データを送信し、デジタルサイネージ端末１５３に対して、一部領域に表示するための表示画面データを送信している。
【００５０】
これにより、デジタルサイネージ端末１５１、１５２、１５３のディスプレイユニット２０１の上方の一部領域１１０１にまたがって、広告等を含んだ表示データが表示される。
【００５１】
図１１に示す様に、操作者が検出された場合に、デジタルサイネージ端末１５１、１５２、１５３にまたがって表示を行う際、各ディスプレイユニット２０１の表示領域のうち一部領域のみをまたがって表示することに制限するものではない。例えば、操作者が検出されたデジタルサイネージ端末のディスプレイユニット２０１の一部表示領域と、その他のデジタルサイネージ端末のディスプレイユニット２０１の全表示領域と、にまたがって表示してもよい。そこで、操作者が検出されたデジタルサイネージ端末のディスプレイユニット２０１の表示領域の一部と、その他のデジタルサイネージ端末のディスプレイユニット２０１の全表示領域と、にまたがって表示する変形例について説明する。
【００５２】
図１２は、変形例に係るデジタルサイネージ端末１５３の近傍領域で人物が検出された場合に、デジタルサイネージ端末１５１、１５２、１５３に表示される表示画面の例を示した図である。図１２に示す例では、デジタルサイネージ端末１５３の送信制御部４０３が、人物１２０２を検出した検出データを、管理サーバ１００に対して送信した後、表示制御部４０１が券売機としての操作画面と共に、他のデジタルサイネージ端末の表示画面にまたがって表示画面データ（広告情報）を表示している。
【００５３】
図１２で示す例では、デジタルサイネージ端末１５１、１５２の全表示領域と、デジタルサイネージ端末１５３の一部表示領域とにまたがった表示領域１２０１で、管理サーバ１００から送信される表示画面データに基づいた広告情報を表示している。
【００５４】
なお、表示態様は、第１の実施形態及び上述した変形例に制限するものではなく、ディスプレイユニットにまたがった画面データの表示とともに、利用者（人物）に対して操作画面の提供が可能な態様であれば、どのような表示態様であってもよい。
【００５５】
次に、本実施の形態に係る情報処理システムにおける、全体的な処理について説明する。図１３は、本実施の形態に係る情報処理システムにおける上述した処理の手順を示すフローチャートである。
【００５６】
まず、管理サーバ１００の表示データ生成部６０２が、表示データ記憶部６１１から、表示データを読み込む（ステップＳ１３１１）。次に表示データ生成部６０２が、デジタルサイネージ端末１５１、１５２、１５３の各々に表示される表示画面データを生成する（ステップＳ１３１２）。生成される表示画面データは、デジタルサイネージ端末１５１、１５２、１５３の複数のディスプレイユニット２０１にまたがって、文字列データや表示データが表示されるよう調整された画面データとする。
【００５７】
そして、管理サーバ１００の送信制御部６０３が、デジタルサイネージ端末毎に生成された表示画面データを、デジタルサイネージ端末１５１、１５２、１５２に対して送信する（ステップＳ１３１３）。
【００５８】
これにより、デジタルサイネージ端末１５３の受信制御部４０４が、表示画面データを受信する（ステップＳ１３０１）。そして、デジタルサイネージ端末１５３の表示制御部４０１が、受信した表示画面データを、ディスプレイユニット２０１に表示する（ステップＳ１３０２）。
【００５９】
同様に、デジタルサイネージ端末１５１、１５２の受信制御部４０４が、表示画面データを受信する（ステップＳ１３２１）。そして、デジタルサイネージ端末１５１、１５２の表示制御部４０１が、受信した表示画面データを、ディスプレイユニット２０１に表示する（ステップＳ１３２２）。
【００６０】
そして、位置認識部４０２が、デジタルサイネージ端末１５３のカメラユニット２０２で撮像された撮像画像データから、がデジタルサイネージ端末１５３を操作可能な近傍位置に人物（操作者）がいることを検出する（ステップＳ１３０３）。このように、図１３は、デジタルサイネージ端末１５３で、操作者が検出された例とする。
【００６１】
そこで、デジタルサイネージ端末１５３の送信制御部４０３が、操作者を検出したことを示す検出データを、管理サーバ１００に送信する（ステップＳ１３０４）。
【００６２】
これにより、管理サーバ１００の受信制御部６０１が、デジタルサイネージ端末１５３から検出データを受信する（ステップＳ１３１４）。受信をトリガーとして、送信制御部６０３が、操作画面の表示命令を、検出データの送信元であるデジタルサイネージ端末１５３に送信する（ステップＳ１３１５）。
【００６３】
そして、デジタルサイネージ端末１５３の受信制御部４０４が、操作画面の表示命令を、管理サーバ１００から受信する（ステップＳ１３０５）。これにより、デジタルサイネージ端末１５３の表示制御部４０１が、操作画面を、ディスプレイユニット２０１に表示する（ステップＳ１３０６）。なお、操作画面に関する情報は、デジタルサイネージ端末１５３の外部記憶装置３３５に予め記憶されている。
【００６４】
一方、管理サーバ１００の表示データ生成部６０２が、デジタルサイネージ端末１５１、１５２で表示するための表示画面データを生成する（ステップＳ１３１６）。
【００６５】
そして、管理サーバ１００の送信制御部６０３が、デジタルサイネージ端末１５１、１５２に対して、生成した表示画面データを送信する（ステップＳ１３１７）。
【００６６】
これにより、デジタルサイネージ端末１５１、１５２の受信制御部４０４が、管理サーバ１００から表示画面データを受信する（ステップＳ１３２３）。そして、デジタルサイネージ端末１５１、１５２の表示制御部４０１が、受信した表示画面データを、ディスプレイユニット２０１に表示する（ステップＳ１３２４）。これにより、図９に示す様に、デジタルサイネージ端末１５１、１５２のディスプレイユニット２０１にまたがって広告情報が表示される。
【００６７】
なお、図１１や図１２で示した変形例においては、デジタルサイネージ端末１５３と、管理サーバ１００との間で、操作画面の表示命令の他に、一部領域で表示される表示画面データを送受信する点を除き、図１３と同様の処理手順で行われるものとして、説明を省略する。
【００６８】
本実施形態では、デジタルサイネージ端末がカメラユニット２０２で操作者を検出する例について説明した。しかしながら、デジタルサイネージ端末側で積極的に操作者を検出する手法に制限するものではなく、デジタルサイネージ端末が、ディスプレイユニット２０１に対する接触をトリガーとして、操作者を検出してもよい。この場合、デジタルサイネージ端末の表示制御部４０１が、ディスプレイユニット２０１に、操作したい場合には接触する旨のメッセージを表示してもよい。
【００６９】
また、本実施形態では、３個のデジタルサイネージ端末を配置する例について説明した。しかしながら、配置するデジタルサイネージ端末の数を３個に制限するものではない。デジタルサイネージ端末を４個以上水平方向に隣接するように配置しても良い。さらには、デジタルサイネージ端末を２個隣接するように配置しても良い。
【００７０】
これら配置する数が異なる場合でも、操作者が近傍にいるデジタルサイネージ端末については操作画面を表示し、他のデジタルサイネージ端末においては広告などの表示画面データを表示されるように制御される。
【００７１】
（変形例）
第１の実施形態及びその変形例では、デジタルサイネージ端末を操作可能な近傍位置に人物を検出した場合に操作画面に切り替える例について説明した。カメラユニット２０２が人物を検出したが、操作可能な位置ではない場合については考慮されていなかった。
【００７２】
そこで、本変形例では、カメラユニット２０２が人物を検出したが、操作可能な位置ではない場合に表示する画面の例について説明する。
【００７３】
図１４は、変形例に係るデジタルサイネージ端末１５２の近傍ではない領域で人物が検出された場合に、デジタルサイネージ端末１５１、１５２、１５３に表示される表示画面の例を示した図である。デジタルサイネージ端末１５２の近傍ではない位置で人物が検出された場合も、デジタルサイネージ端末１５２の送信制御部４０３は、人物が検出された位置情報を含めた検出データを、管理サーバ１００に対して送信する。
【００７４】
これをトリガーとして、人物が検出されていないデジタルサイネージ端末１５１、１５３は、図１１で示した変形例と同様の表示画面を表示する。
【００７５】
一方、管理サーバ１００の受信制御部６０１が、位置情報を含んだ検出データを、デジタルサイネージ端末１５２から受信する。そして、表示データ生成部６０２が、当該位置情報で示された位置にいる人物のための表示する表示画面データを生成する。そして、送信制御部６０３が、検出データに含まれている位置情報に基づいた表示画面情報を、検出データを送信したデジタルサイネージ端末１５２に対して送信する。
【００７６】
そして、人物が検出されたデジタルサイネージ端末１５２の受信制御部４０４が、管理サーバ１００から表示画面データを受信する。そして、当該表示画面データにより、位置認識部４０２が認識した人物の位置に追従するように、表示制御部４０１が、キャラクター画像データ１４０２を表示する。なお、人物の位置に追従するように表示を行えば、表示される画像データについては特に制限を設けるものではない。本変形例では、人物の位置に追従するように表示することで、デジタルサイネージ端末が表示する内容に対して、よりいっそう注目を集めることができる。なお、本実施形態は、人物に追従する表示画面データを、管理サーバ１００で生成する例について説明したが、デジタルサイネージ端末１５２で生成しても良い。
【００７７】
以上説明したとおり、第１の実施形態及び変形例によれば、デジタルサイネージ端末による発券等の操作画面による操作の受付と、複数のディスプレイユニットにまたがった情報の提供と、の両立を図ることができる。これにより、利用者に対して、広告等を認識させることが容易になる。
【００７８】
第１の実施形態及び変形例によれば、複数画面を用いた表示を行うことで、より多くの人物を引きつける魅力的な表示を行うことが可能となる。さらに複数画面のスペースを最大限利用することで、動きや迫力のある大きな広告表示を行うことができる。このように好適な画面表示を行うことが可能となる。
【００７９】
第１の実施形態及び変形例によれば、複数の画面に大きい画像や文字列を表示することで、遠く（例えば通りの離れた場所）からの視認性を高めることができる。
【００８０】
また、第１の実施形態及び変形例によれば、単に大画面ディスプレイユニットを用いるのではなく、複数のディスプレイユニットを用いることで、各デジタルサイネージ端末を券売機として用いることで、発券等の処理を効率的に行うことができる。
【００８１】
本実施形態及び変形例の管理サーバ１００で実行される情報処理プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００８２】
また、本実施形態及び変形例の管理サーバ１００で実行される情報処理プログラムを、インターネット等のネットワークに接続されたコンピュータ上に格納し、ネットワーク経由でダウンロードさせることにより提供するように構成しても良い。また、本実施形態の本実施形態及び変形例の管理サーバ１００で実行される情報処理プログラムをインターネット等のネットワーク経由で提供または配布するように構成しても良い。
【００８３】
また、本実施形態の情報処理プログラムを、ＲＯＭ等に予め組み込んで提供するように構成してもよい。
【００８４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８５】
１００…管理サーバ、１５１、１５２、１５３…デジタルサイネージ端末、１６０…ネットワーク、２０１…ディスプレイユニット、２０２…カメラユニット、２０３…読取装置、２０４…プリンタユニット、２０５…投入口、４０１…表示制御部、４０２…位置認識部、４０３…送信制御部、４０４…受信制御部、５０４…通信インターフェース、５０５…ＨＤＤ、６０１…受信制御部、６０２…表示データ生成部、６０３…送信制御部、６１１…表示データ記憶部
【先行技術文献】
【特許文献】
【００８６】
【特許文献１】特開２０１１−２４８２２５号公報
【図１】
0005714530.tif 000002
【図２】
0005714530.tif 000003
【図３】
0005714530.tif 000004
【図４】
0005714530.tif 000005
【図５】
0005714530.tif 000006
【図６】
0005714530.tif 000007
【図７】
0005714530.tif 000008
【図８】
0005714530.tif 000009
【図９】
0005714530.tif 000010
【図１０】
0005714530.tif 000011
【図１１】
0005714530.tif 000012
【図１２】
0005714530.tif 000013
【図１３】
0005714530.tif 000014
【図１４】
0005714530.tif 000015